(57)【要約】      （修正有）【課題】電子ペンにより記入した情報を、家電製品固有の操作命令に翻訳することにより、家電製品の遠隔操作を行うことができる遠隔操作システムを提供する。【解決手段】遠隔操作システム１００において、利用者は、電子ペン１０を使用して帳票３を構成する操作エリア及び番組エリアに記入を行う。サーバ５は、電子ペン１０から取得した記入情報及び座標テーブル１０５に基づいて、放送番組のチャンネル及び時間帯とを特定するとともに、ペンＩＤに基づいて利用者ＤＢ６から、対応するメールフォーマット及びメールアドレスを抽出する。そして、サーバ５は、特定した操作、放送番組のチャンネル及び時間帯に基づいて、メールフォーマットに従って、ビデオ７を遠隔操作するためのメールを作成する。サーバ５は、作成したメールを、利用者のメールアドレスに送信する。これにより複雑な操作をすることなく、容易にビデオ７の遠隔操作をすることができる。【選択図】図１０
2006140554.tif 000002
【特許請求の範囲】
【請求項１】
メールに基づいて放送番組を録画録音することができる録画録音端末とネットワークを介して通信可能なサーバであって、
電子ペンにより認識可能なドットパターンが印刷された電子ペン用帳票上に設けられた、前記録画録音端末が行う操作を認識するための操作エリア、及び、前記放送番組のチャンネル及び時間帯を認識するための番組エリアと、前記ドットパターン上のそれぞれの位置座標とを対応付けた座標情報を記憶する座標情報記憶手段と、
前記電子ペンを識別するペン識別情報に対応づけて、前記録画録音端末のメールアドレスと、前記録画録音端末が認識可能なメールフォーマットとを利用者情報として記憶する利用者情報記憶手段と、
前記利用者が前記電子ペンにより前記帳票に記入した記入情報を取得する記入情報取得手段と、
前記座標情報に基づいて前記記入情報から、前記利用者が各エリアに記入したストロークデータを抽出するストローク抽出手段と、
前記利用者が前記操作エリアに記入したストロークデータに基づいて、前記操作を特定する操作特定手段と、
前記利用者が前記番組エリアに記入したストロークデータに基づいて、前記番組のチャンネル及び時間帯を特定する番組特定手段と、
前記記入情報に基づいて、前記利用者が使用する電子ペンの識別情報を特定するペン識別情報特定手段と、
特定したペン識別情報に基づいて前記利用者情報から、メールアドレス及びメールフォーマットを抽出するメール抽出手段と、
前記操作特定手段が特定した操作と、前記番組特定手段が特定した番組のチャンネル及び時間帯と、前記メール抽出手段が抽出したメールフォーマットとに基づいてメールを作成するメール作成手段と、
作成したメールを、前記メール抽出手段が抽出したメールアドレスに送信するメール送信手段とを備えることを特徴とするサーバ。
【請求項２】
前記帳票は、パスワードを認識するためのパスワードエリアをさらに有し、
前記座標情報記憶手段は、前記パスワードエリアと、前記ドットパターン上のそれぞれの位置座標とを対応付けた座標情報を記憶しており、
前記利用者情報記憶手段は、前記ペン識別情報に対応付けて、さらに前記パスワードを利用者情報として記憶しており、
前記サーバは、
前記ペン識別情報特定手段が特定したペン識別情報に基づいて、前記利用者情報からパスワードを抽出するパスワード抽出手段と、
前記利用者が前記パスワードエリアに記入したストロークデータに基づいて、パスワードを特定するパスワード特定手段と、
前記パスワード抽出手段が抽出したパスワードと、前記パスワード特定手段が特定したパスワードが一致するか否かを判定するパスワード判定手段と、をさらに備え、
前記メール作成手段は、前記パスワード判定手段が一致すると判定した場合にのみ、前記メールを作成することを特徴とする請求項１に記載のサーバ。
【請求項３】
前記帳票は、画質及び音質を認識するための質設定エリアをさらに有し、
前記座標情報記憶手段は、前記質設定エリアと、前記ドットパターン上のそれぞれの位置座標とを対応付けた座標情報を記憶しており、
前記サーバは、
前記利用者が前記質設定エリアに記入したストロークデータに基づいて、画質及び音質を特定する質特定手段をさらに備え、
前記メール作成手段は、前記操作特定手段が特定した操作と、前記番組特定手段が特定した番組のチャンネル及び時間帯と、前記質特定手段が特定した画質及び音質と、前記メール抽出手段が抽出したメールフォーマットとに基づいてメールを作成することを特徴とする請求項１又は２に記載のサーバ。
【請求項４】
メールに基づいて放送番組を録画録音することができる録画録音端末とネットワークを介して通信可能なコンピュータにより実行されるプログラムであって、
電子ペンにより認識可能なドットパターンが印刷された電子ペン用帳票上に設けられた、前記録画録音端末が行う操作を認識するための操作エリア、及び、前記放送番組のチャンネル及び時間帯を認識するための番組エリアと、前記ドットパターン上のそれぞれの位置座標とを対応付けた座標情報を記憶する座標情報記憶手段、
前記電子ペンを識別するペン識別情報に対応づけて、前記録画録音端末のメールアドレスと、前記録画録音端末が認識可能なメールフォーマットとを利用者情報として記憶する利用者情報記憶手段、
前記利用者が前記電子ペンにより前記帳票に記入した記入情報を取得する記入情報取得手段、
前記座標情報に基づいて前記記入情報から、前記利用者が各エリアに記入したストロークデータを抽出するストローク抽出手段、
前記利用者が前記操作エリアに記入したストロークデータに基づいて、前記操作を特定する操作特定手段、
前記利用者が前記番組エリアに記入したストロークデータに基づいて、前記番組のチャンネル及び時間帯を特定する番組特定手段、
前記記入情報に基づいて、前記利用者が使用する電子ペンの識別情報を特定するペン識別情報特定手段、
特定したペン識別情報に基づいて前記利用者情報から、メールアドレス及びメールフォーマットを抽出するメール抽出手段、
前記操作特定手段が特定した操作と、前記番組特定手段が特定した番組のチャンネル及び時間帯と、前記メール抽出手段が抽出したメールフォーマットとに基づいてメールを作成するメール作成手段、
作成したメールを、前記メール抽出手段が抽出したメールアドレスに送信するメール送信手段として前記コンピュータを機能させることを特徴とするプログラム。
【請求項５】
前記帳票は、パスワードを認識するためのパスワードエリアをさらに有し、
前記座標情報記憶手段は、前記パスワードエリアと、前記ドットパターン上のそれぞれの位置座標とを対応付けた座標情報を記憶しており、
前記利用者情報記憶手段は、前記ペン識別情報に対応付けて、さらに前記パスワードを利用者情報として記憶しており、
前記プログラムは、
前記ペン識別情報特定手段が特定したペン識別情報に基づいて、前記利用者情報からパスワードを抽出するパスワード抽出手段、
前記利用者が前記パスワードエリアに記入したストロークデータに基づいて、パスワードを特定するパスワード特定手段、
前記パスワード抽出手段が抽出したパスワードと、前記パスワード特定手段が特定したパスワードが一致するか否かを判定するパスワード判定手段、としてさらに前記コンピュータを機能させ、
前記メール作成手段は、前記パスワード判定手段が一致すると判定した場合にのみ、前記メールを作成することを特徴とする請求項４に記載のプログラム。
【請求項６】
前記帳票は、画質及び音質を認識するための質設定エリアをさらに有し、
前記座標情報記憶手段は、前記質設定エリアと、前記ドットパターン上のそれぞれの位置座標とを対応付けた座標情報を記憶しており、
前記プログラムは、
前記利用者が前記質設定エリアに記入したストロークデータに基づいて、画質及び音質を特定する質特定手段としてさらに前記コンピュータを機能させ、
前記メール作成手段は、前記操作特定手段が特定した操作と、前記番組特定手段が特定した番組のチャンネル及び時間帯と、前記質特定手段が特定した画質及び音質と、前記メール抽出手段が抽出したメールフォーマットとに基づいてメールを作成することを特徴とする請求項４又は５に記載のプログラム。
【請求項７】
インクペンユニット及び光学的にドットパターンを読み取る読取ユニットを備える電子ペンにより記入される電子ペン用帳票であって、
パスワードを認識するためのパスワードエリアと、放送番組を録画録音することができる録画録音端末が行う操作を認識するための操作エリアと、放送番組のチャンネル及び時間帯を認識するための番組エリアと、を有することを特徴とする電子ペン用帳票。
【請求項８】
前記電子ペン用帳票は、さらに画質及び音質を認識するための質設定エリアを有することを特徴とする請求項７に記載の電子ペン用帳票。
【発明の詳細な説明】
【技術分野】
【０００１】
本発明は、電子ペンを利用して、家電製品を遠隔操作する技術に関する。
【背景技術】
【０００２】
近年、ネットワーク技術の発展に伴い、ビデオのような家電製品がネットワークに接続され、外部から遠隔操作を行うことが可能になってきた。このような遠隔操作を行う場合、利用者は、外出先からＰＣ（Personal Computer）や携帯電話を操作する必要がある。
【０００３】
しかし、ＰＣの操作方法に関する知識を十分に有しない利用者や、キーボード入力をあまり得意としない利用者などにとっては、上述の遠隔操作を上手に利用することは難しい。即ち、現状では、「誰にでも使いこなせなければならない」という家電本来の姿からかけ離れた複雑な操作を利用者に求めることとなっている。
【０００４】
一方、近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入データ（「ストロークデータ」ともいう）が取得される。この記入データが、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。
【０００５】
そこで、ＰＣ操作に不慣れな利用者にとっては、電子ペンを利用して紙の帳票に対してペン入力する方法により上述の遠隔操作をすることができれば便利である。
【発明の開示】
【発明が解決しようとする課題】
【０００６】
本発明は、以上の点に鑑みてなされたものであり、電子ペンにより記入した情報を、自動的に家電製品固有の操作命令に翻訳することにより、利用者が容易に家電製品の遠隔操作を行うことができる遠隔操作システムを提供することを課題とする。
【課題を解決するための手段】
【０００７】
本発明の１つの観点では、メールに基づいて放送番組を録画録音することができる録画録音端末とネットワークを介して通信可能なサーバであって、電子ペンにより認識可能なドットパターンが印刷された電子ペン用帳票上に設けられた、前記録画録音端末が行う操作を認識するための操作エリア、及び、前記放送番組のチャンネル及び時間帯を認識するための番組エリアと、前記ドットパターン上のそれぞれの位置座標とを対応付けた座標情報を記憶する座標情報記憶手段と、前記電子ペンを識別するペン識別情報に対応づけて、前記録画録音端末のメールアドレスと、前記録画録音端末が認識可能なメールフォーマットとを利用者情報として記憶する利用者情報記憶手段と、前記利用者が前記電子ペンにより前記帳票に記入した記入情報を取得する記入情報取得手段と、前記座標情報に基づいて前記記入情報から、前記利用者が各エリアに記入したストロークデータを抽出するストローク抽出手段と、前記利用者が前記操作エリアに記入したストロークデータに基づいて、前記操作を特定する操作特定手段と、前記利用者が前記番組エリアに記入したストロークデータに基づいて、前記番組のチャンネル及び時間帯を特定する番組特定手段と、前記記入情報に基づいて、前記利用者が使用する電子ペンの識別情報を特定するペン識別情報特定手段と、特定したペン識別情報に基づいて前記利用者情報から、メールアドレス及びメールフォーマットを抽出するメール抽出手段と、前記操作特定手段が特定した操作と、前記番組特定手段が特定した番組のチャンネル及び時間帯と、前記メール抽出手段が抽出したメールフォーマットとに基づいてメールを作成するメール作成手段と、作成したメールを、前記メール抽出手段が抽出したメールアドレスに送信するメール送信手段とを備える。
【０００８】
本発明の遠隔サーバは、予め利用者情報及び座標情報を記憶している。利用者は、録画録音端末の遠隔操作を行う場合、まず、電子ペンを使用して帳票を構成する操作エリア及び番組エリアに記入を行う。電子ペンは、当該電子ペンの移動に伴って帳票上のドットパターンを読み取り、利用者が記入した記号や文字に関する記入情報を取得する。ここで、記入情報には、当該ドットパターン上の位置座標及び記入した記号や文字のストロークデータが含まれている。電子ペンが取得した記入情報は、サーバにより取得される。サーバは、座標情報を参照することにより記入情報から、操作エリアに記入されたストロークと、番組エリアに記入されたストロークとをそれぞれ抽出する。そして、サーバは、当該ストロークに基づいて、利用者が操作エリアに記入することにより指定した操作を特定する。さらに、サーバは、当該ストロークに基づいて、利用者が番組エリアに記入することにより指定した放送番組のチャンネル及び時間帯を特定する。
【０００９】
また、サーバは、記入情報に基づいて利用者が使用する電子ペンのペン識別情報を特定する。そして、サーバは、特定したペン識別情報に基づいて利用者情報から、対応するメールフォーマット及びメールアドレスを抽出する。ここで、メールフォーマットとは、サーバと通信可能に接続された録画録音端末が命令を認識できるようなフォーマットであり、メールアドレスとは、当該録画録音端末のメールアドレスである。具体的に、録画録音端末とは、具体的には、メールにより録画予約等が可能なビデオやラジオ等が挙げられる。そして、サーバは、記入情報及び座標テーブルにより特定した操作、番組のチャンネル及び時間帯に基づいて、抽出したメールフォーマットに従って、録画録音端末を遠隔操作するためのメールを作成する。さらに、サーバは、作成したメールを、利用者情報から抽出したメールアドレスに送信する。
【００１０】
これによれば、録音録画端末の操作命令フォーマットに関する情報と、利用者の命令をデザインした帳票に関する情報とを予め記憶しているサーバを設け、利用者が電子ペンと帳票とで指定した情報を録音録画端末固有の操作命令に翻訳し、メールとして送信することにより、容易に遠隔操作を行うことができる。つまり、利用者は携帯電話等の複雑な操作をすることなく、録音録画端末を容易に遠隔操作することができる。
【００１１】
上記サーバの一態様では、前記帳票は、パスワードを認識するためのパスワードエリアをさらに有し、前記座標情報記憶手段は、前記パスワードエリアと、前記ドットパターン上のそれぞれの位置座標とを対応付けた座標情報を記憶しており、前記利用者情報記憶手段は、前記ペン識別情報に対応付けて、さらに前記パスワードを利用者情報として記憶しており、前記サーバは、前記ペン識別情報特定手段が特定したペン識別情報に基づいて、前記利用者情報からパスワードを抽出するパスワード抽出手段と、前記利用者が前記パスワードエリアに記入したストロークデータに基づいて、パスワードを特定するパスワード特定手段と、前記パスワード抽出手段が抽出したパスワードと、前記パスワード特定手段が特定したパスワードが一致するか否かを判定するパスワード判定手段と、をさらに備え、前記メール作成手段は、前記パスワード判定手段が一致すると判定した場合にのみ、前記メールを作成する。
【００１２】
上記のように構成されたサーバでは、利用者が予め任意のパスワードを設定し、当該パスワードをサーバは利用者情報として記憶している。そして、利用者は、帳票に対して遠隔操作の内容を電子ペンで記入するとともに、パスワードを記入する。サーバは、記入情報及び座標情報に基づいて、利用者が帳票に記入したパスワードを特定する。また、サーバは、記入情報から特定したペン識別情報に基づいて利用者情報から対応するパスワードを抽出する。そして、サーバは、特定したパスワードと抽出したパスワードとを比較し、一致した場合のみ、録画録音端末の遠隔操作を行うためのメールを作成する。つまり、利用者が正確なパスワードを記入した場合に限り、遠隔操作を行うことが可能となる。これによれば、他の者が利用者になりすまして、録画録音端末の遠隔操作を行うことを防止することができる。
【００１３】
上記サーバの他の一態様では、前記帳票は、画質及び音質を認識するための質設定エリアをさらに有し、前記座標情報記憶手段は、前記質設定エリアと、前記ドットパターン上のそれぞれの位置座標とを対応付けた座標情報を記憶しており、前記サーバは、前記利用者が前記質設定エリアに記入したストロークデータに基づいて、画質及び音質を特定する質特定手段をさらに備え、前記メール作成手段は、前記操作特定手段が特定した操作と、前記番組特定手段が特定した番組のチャンネル及び時間帯と、前記質特定手段が特定した画質及び音質と、前記メール抽出手段が抽出したメールフォーマットとに基づいてメールを作成する。これによれば、サーバは、容易に利用者が指定した画質及び音質に基づいたメールを作成することができる。つまり、利用者は、画質や音質の設定といった、携帯電話では複雑な操作となる設定であっても、電子ペンと紙媒体である帳票を使用して容易に行うことができる。
【００１４】
本発明の別の観点では、メールに基づいて放送番組を録画録音することができる録画録音端末とネットワークを介して通信可能なコンピュータにより実行されるプログラムであって、電子ペンにより認識可能なドットパターンが印刷された電子ペン用帳票上に設けられた、前記録画録音端末が行う操作を認識するための操作エリア、及び、前記放送番組のチャンネル及び時間帯を認識するための番組エリアと、前記ドットパターン上のそれぞれの位置座標とを対応付けた座標情報を記憶する座標情報記憶手段、前記電子ペンを識別するペン識別情報に対応づけて、前記録画録音端末のメールアドレスと、前記録画録音端末が認識可能なメールフォーマットとを利用者情報として記憶する利用者情報記憶手段、前記利用者が前記電子ペンにより前記帳票に記入した記入情報を取得する記入情報取得手段、前記座標情報に基づいて前記記入情報から、前記利用者が各エリアに記入したストロークデータを抽出するストローク抽出手段、前記利用者が前記操作エリアに記入したストロークデータに基づいて、前記操作を特定する操作特定手段、前記利用者が前記番組エリアに記入したストロークデータに基づいて、前記番組のチャンネル及び時間帯を特定する番組特定手段、前記記入情報に基づいて、前記利用者が使用する電子ペンの識別情報を特定するペン識別情報特定手段、特定したペン識別情報に基づいて前記利用者情報から、メールアドレス及びメールフォーマットを抽出するメール抽出手段、前記操作特定手段が特定した操作と、前記番組特定手段が特定した番組のチャンネル及び時間帯と、前記メール抽出手段が抽出したメールフォーマットとに基づいてメールを作成するメール作成手段、作成したメールを、前記メール抽出手段が抽出したメールアドレスに送信するメール送信手段として前記コンピュータを機能させる。
【００１５】
上記プログラムをコンピュータにより実行することにより、上述のサーバを実現することができる。また、上述のサーバの各態様も同様に実現することができる。
【００１６】
本発明のさらに別の観点では、インクペンユニット及び光学的にドットパターンを読み取る読取ユニットを備える電子ペンにより記入される電子ペン用帳票であって、パスワードを認識するためのパスワードエリアと、放送番組を録画録音することができる録画録音端末が行う操作を認識するための操作エリアと、放送番組のチャンネル及び時間帯を認識するための番組エリアと、を有する。
【００１７】
上記のように構成された電子ペン用帳票において使用される電子ペンは、ドットパターンを読み取ることで、例えば利用者が記入した文字や記号のストロークデータを取得するものである。このように帳票を複数のエリアから構成されることにより、容易に、利用者が操作エリアに記入することで指定した録音録画端末の操作と、利用者が番組エリアに記入することで指定した放送番組のチャンネル及び時間帯と、利用者がパスワードエリアに記入することで指定したパスワードとを特定することができる。
【００１８】
前記電子ペン用帳票は、さらに画質及び音質を認識するための質設定エリアを有する。これによれば、容易に、利用者が質設定エリアに記入することで指定した画質や音質を特定することができる。
【発明の効果】
【００１９】
本発明によれば、電子ペンにより記入した情報を、自動的に家電製品固有の操作命令に翻訳することにより、利用者が容易に家電製品の遠隔操作を行うことができる。
【発明を実施するための最良の形態】
【００２０】
以下、図面を参照して本発明の好適な実施の形態について説明する。まず、本発明のシステムにおいて入力デバイスとして使用される電子ペンの概要について説明する。
【００２１】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２２】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００２３】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２４】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２５】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００２６】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２７】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２８】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００２９】
バッテリー１４は電子ペン１０内の各要素に電源供給するためのものであり、例えば電子ペンのキャップ（図示せず）により電子ペン１０自体の電源のオン／オフを行うことができる。
【００３０】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３１】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００３２】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００３３】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３４】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３５】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３６】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３７】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３８】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３９】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００４０】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００４１】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００４２】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００４３】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４４】
なお、本明細書においては、「印刷」の語は、通常の印刷のみならず、プリンタによるプリントも含む概念とする。
【００４５】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入データをそのサービスサーバ２７へ送信することになる。
【００４６】
なお、上記の例では端末装置２５、問い合わせサーバ２６及びサービスサーバ２７が別個に構成されているが、これらの幾つか又は全てを１つの装置として構成することも可能である。本実施形態において、後述するサーバは、問い合わせサーバ２６及びサービスサーバ２７を兼ねているものとする。
【００４７】
[遠隔操作システム]
次に、本発明の遠隔操作システムについて説明する。図７に遠隔操作システム１００の概略構成を示す。図７に示す遠隔操作システム１００は、利用者が電子ペン用帳票（以下、「帳票」と呼ぶ。）に記入した情報を、利用者が使用する家電製品固有の操作命令に翻訳することで、当該家電製品の遠隔操作を行うことができるものである。具体的に、遠隔操作システム１００は、利用者が帳票に記入した情報に基づいて所定のメールフォーマットに従ったメールを作成し、利用者が使用する録音録画端末へ当該メールを送信することで遠隔操作を行うことができるものである。なお、家電製品である録音録画端末としては、ビデオやラジオ等が考えられるが、本実施形態ではビデオを例にして説明する。
【００４８】
図７に示すように、遠隔操作システム１００は、端末装置２５、ビデオ７及びサーバ５がネットワーク２を通じて接続されることにより構成される。ここで、ネットワーク２の１つの好適な例はインターネットである。また、端末装置２５とは、利用者が使用するＰＣや携帯電話といったネットワーク２を介してデータの授受が可能な端末である。また、ビデオ７とは、放送番組の録画録音が可能な端末であって、予め決められたメールフォーマットに従ったメールにより遠隔操作を行うことができる端末である。
【００４９】
なお、サーバ５は、利用者データベース（以下、「ＤＢ」と呼ぶ。）６に接続されている。また、図７は、便宜上、１つの端末装置２５と、１つのビデオ７を構成要素として含むこととしているが、本発明はこれに限定されるものではなく、複数の端末装置２５と、複数のビデオ７やラジオ等とを構成要素として含むこととしてもよい。
【００５０】
まず、図８を参照して、本システムにおける遠隔操作方法の概要を述べておく。図８（ａ）は、利用者が遠隔操作に必要な情報を記入するための帳票例であり、図８（ｂ）は、利用者が実際に記入を行った帳票例である。
【００５１】
帳票３は、上述の専用ペーパーとして作成されたものであり、図８（ａ）に示すように、放送番組の番組表、ビデオ７が行う操作に関する情報、画質や音質に関する情報、パスワードに関する情報に対応する複数のエリアから構成されている。具体的に、帳票３は、放送番組に関する雑誌の１ページ等と考えられる。ここで、番組表に対応するエリアを番組エリア、操作に関する情報に対応するエリアを操作エリア、画質や音質に関する情報に対応するエリアを質設定エリア、パスワードに関する情報に対応するエリアをパスワードエリアとする。
【００５２】
番組エリアは、放送番組のチャンネル、時間帯及び内容を示す情報が記載されている。操作エリアは、「新規」、「取消」、「変更」から構成されており、「新規」は新規に録画予約をすること、「取消」は既に行った録画予約を取り消すこと、「変更」は既に行った録画予約を変更することをそれぞれ表している。質設定エリアは、画質と音質から構成されており、さらにそれぞれ「ＳＳ」と「Ｓ」から構成されている。「ＳＳ」はハイクオリティ、「Ｓ」は通常のクオリティをそれぞれ表している。パスワードエリアは、４つの項目から構成されており、本実施形態では、後述する利用者登録時に設定した４桁の数字が記入されるエリアである。なお、送信ボックス３９は、上述のとおり、電子ペン１０内に記憶されているデータを近傍の端末装置２５へ送信するための指示を行う際に使用されるボックスである。
【００５３】
利用者は、ビデオ７の遠隔操作を容易に行いたいと考えた場合、まず、サーバ５に利用者登録を行う。利用者登録において、利用者は、端末装置２５を使用する等して、氏名、パスワード、ペンＩＤ、メールアドレス及びビデオ種類をサーバ５へ送信する。ここで、パスワードとは、他の者が利用者になりすましてビデオ７の遠隔操作をすることができないように設定する４桁の数字であり、利用者登録時に利用者が任意に設定できるものとする。また、ペンＩＤとは、利用者が使用する電子ペン１０の識別情報である。また、メールアドレスとは、利用者が使用するビデオ７のメールアドレスであり、ビデオ種類とは、ビデオ７の種類である。サーバ５は、利用者を識別する利用者ＩＤをキーとして、当該氏名、パスワード、ペンＩＤ、メールアドレス及びビデオ種類と、ビデオ種類に対応したメールフォーマットとを利用者情報として利用者ＤＢ６に記憶することで利用者登録を完了する。
【００５４】
利用者登録をすませた利用者は、ビデオ７を遠隔操作して放送番組の録画を行いたいと考えた場合、駅の売店等で雑誌を購入することで帳票３を取得する。そして、利用者は、図８（ｂ）に示すように、電子ペン１０を使用して遠隔操作に必要な情報の記入を行う。具体的には、図８（ｂ）に示すように、録画したい番組と、遠隔操作の内容と、設定したい画質や音質とにチェックマークを記入する。また、パスワードエリアに予め設定したパスワードを記入する。なお、電子ペン１０は、各利用者が１本ずつ保有しているものであり、電子ペン１０の識別情報であるペンＩＤにより、利用者を識別することが可能であるとする。
【００５５】
電子ペン１０は、記入された内容に対応するストロークデータを取得し、電子ペン１０内のメモリに一時的に記憶した後、当該ストロークデータを端末装置２５へ送信する。端末装置２５は、電子ペン１０から利用者が記入したストロークデータを受信し、ネットワーク２を通じてサーバ５へ送信する。サーバ５は、ストロークデータを、利用者が帳票３上の各エリアに記入した文字に関する記入情報として取得する。さらに、サーバ５は、後述する座標テーブルに基づいて取得した記入情報から、各エリアに記入されたストロークデータを抽出する。
【００５６】
そして、サーバ５は、操作エリアに記入されたストロークデータに基づいて、利用者が指定する操作内容を特定する。また、サーバ５は、番組エリアに記入されたストロークデータに基づいて、利用者が指定する番組のチャンネル及び時間帯を特定する。また、サーバ５は、質設定エリアに記入されたストロークデータに基づいて、利用者が指定する画質及び音質を特定する。また、サーバ５は、パスワードエリアに記入されたストロークデータに基づいて、ＯＣＲ（Optical Character Reader）により、利用者が記入した４桁の数字をパスワードとして特定する。
【００５７】
次に、サーバ５は、取得した記入情報に基づいて、利用者が使用する電子ペン１０のペンＩＤを特定する。そして、サーバ５は、特定したペンＩＤに基づいて利用者ＤＢ６からパスワード、メールアドレス及びメールフォーマットを抽出する。さらに、サーバ５は、抽出したパスワードと特定したパスワードが一致するか否かを判定し、一致すると判定した場合にのみ、特定した操作内容と、番組のチャンネル及び時間帯と、画質及び音質と、抽出したメールフォーマットとに基づいてビデオ７を遠隔操作するために必要なメールを作成する。そして、サーバ５は、抽出したメールアドレスに作成したメールを送信する。
【００５８】
ビデオ７は、サーバ５からメールを受信する。このメールは、ビデオ７固有の操作命令に翻訳された情報であるため、ビデオ７は、当該メールに基づいて利用者が指定する所定の操作、例えば番組の録画予約等を行う。よって、利用者は、端末装置２５を複雑に操作することなく、電子ペン１０を使用して帳票に記入を行うことにより、容易にビデオ７の遠隔操作を行うことができる。つまり、サーバ５には、利用者の情報や機器固有の操作命令フォーマット、指示命令をデザインした帳票３の情報を予め記憶しておき、電子ペン１０と紙媒体である帳票３とで指示した情報を機器固有の操作命令に翻訳することにより、帳票３にチェックマークを記入するといった単純な操作によりビデオ７といった機器を制御することが可能となる。
【００５９】
[帳票]
次に、図８及び図９を参照して帳票３について説明する。図９は、帳票３を構成する各エリアのエリアＩＤを示す図である。ここで、エリアＩＤとは、エリアの識別情報である。帳票３は、大きく分けて、番組エリア、操作エリア、質設定エリア、パスワードエリア及び送信ボックス３９から構成されている。本実施形態では、図９に示すように、番組エリアを番組毎にさらに細分化し、それぞれに「Ａ」から始まるエリアＩＤを付与している。また、操作エリア及び質設定エリアをさらに細分化し、それぞれに「Ｂ」から始まるエリアＩＤを付与している。また、パスワードエリアを１マス毎に細分化し、それぞれに「Ｐ」から始まるエリアＩＤを付与している。なお、送信ボックスには、エリアＩＤ「Ｃ１」が付与されている。
【００６０】
本発明のシステムでは、図８及び図９に示すような帳票３は、上述した専用ペーパーとして作成されている。即ち、図５に例示するように台紙３０上にドットパターン３２が印刷されており、その上に所定の罫線などの図案が印刷されている。先に述べたように、ドットパターン３２は電子ペン１０が認識することができるように、カーボンを含んだインキにより印刷されている。一方、罫線などの図案３４は、通常の（カーボンを含まない）インキにより印刷されているため、電子ペン１０がそれを認識することはない。
【００６１】
このように、帳票３上にドットパターン３２が印刷されており、帳票３が細分化された複数のエリアから構成されていることで、エリアＩＤとドットパターン３２上の位置座標とを対応付けた座標テーブルに基づいて、容易に利用者が指定した情報を特定することが可能となる。
【００６２】
[サーバ]
次に、サーバ５について詳しく説明する。図１０は、遠隔操作システム１００における、特にサーバ５の内部構成を示す。図示のように、サーバ５は、遠隔操作プログラム１０１、利用者情報取得機能１０２、利用者登録機能１０３、記入情報取得機能１０４、座標テーブル１０５、利用者情報確認機能１０６、予約情報特定機能１０７、メール作成機能１０８及びメール送信機能１０９から構成されている。
【００６３】
なお、各機能は、サーバ５が有するＣＰＵが予め用意されたプログラムを実行することにより実現される。
【００６４】
遠隔操作プログラム１０１は、利用者登録を行うプログラムである。また、遠隔操作プログラム１０１は、利用者が帳票３に記入した情報と、座標テーブルと、利用者ＤＢ６とに基づいて所定のメールフォーマットに従ったメールを作成し、当該利用者が使用するビデオ７へ当該メールを送信することで遠隔操作を行うプログラムである。
【００６５】
利用者情報取得機能１０２は、遠隔操作プログラム１０１を実行することにより、利用者から、氏名、パスワード、ペンＩＤ、メールアドレス及びビデオ種類に関する情報を取得する機能である。
【００６６】
利用者登録機能１０３は、さらに利用者情報記憶機能を有している。利用者情報記憶機能は、利用者を識別する利用者ＩＤをキーとして、利用者情報取得機能１０２が取得した氏名、パスワード、ペンＩＤ、メールアドレス及びビデオ種類に関する情報と、ビデオ種類に対応するメールフォーマットとを利用者情報として利用者ＤＢ６に記憶する機能である。ここで、利用者ＤＢについて図１１を参照して説明する。図１１は、利用者ＤＢ６のデータ構造を模式的に示す図である。図示のとおり、利用者ＤＢ６は、利用者ＩＤ、氏名、パスワード、ペンＩＤ、メールアドレス、ビデオ種類及びメールフォーマットから構成されている。つまり、利用者登録機能１０３は、利用者ＩＤを発行して利用者ＤＢ６に利用者情報を記憶することにより、利用者登録を行う機能である。
【００６７】
ここで、メールフォーマットについて詳しく説明する。メールフォーマットとは、ビデオ７が操作命令を認識可能なフォーマットである。具体的に、ビデオ７が認識可能なフォーマットが「操作内容,パスワード,チャンネル,時間帯,画質,音質」の順番に情報を記入するものであるとする。利用者が、１９時から２０時４５分までの４ｃｈの番組を、画質音質共にＳＳクラスで録画予約することを指定し、パスワードに「１１２１」を記入した場合、サーバ５は、「new,1121,4ch,1900-2045,SS,SS」というメールを作成し、ビデオ７に送信することになる。
【００６８】
記入情報取得機能１０４は、遠隔操作プログラム１０１を実行することにより、利用者が電子ペン１０を使用して帳票３に記入した記入情報を取得する機能である。
【００６９】
ここで、座標テーブル１０５について図１２を参照して説明する。図１２は、座標テーブル１０５のデータ構造を模式的に示す図である。図示のとおり、座標テーブル１０５は、エリアＩＤ、座標データ、内容、チャンネル、時間帯及び番組名から構成されている。エリアＩＤは、帳票３を構成する各エリアを識別する情報である。座標データは、帳票３に印刷されたドットパターン上における各エリアの配置を示す座標データである。内容は、各エリアが示す情報であって、例えば番組を示すエリアであれば「番組」、新規に録画予約をするという操作を示すエリアであれば「操作／新規」が設定されている。チャンネル、時間帯及び番組名は、内容が「番組」の場合に限り設定されており、各エリアが示す放送番組のチャンネル、時間帯及び番組名がそれぞれ設定されている。
【００７０】
利用者情報確認機能１０６は、さらに、利用者確認機能、メールアドレス抽出機能及びフォーマット抽出機能から構成されており、電子ペン１０を使用して帳票３への記入を行った利用者が登録済であるか否かを確認するとともに、メールアドレス及びメールフォーマットを抽出する機能である。具体的に、利用者確認機能は、記入情報取得機能１０４が取得した記入情報に基づいて、利用者が使用するペンＩＤを特定し、当該ペンＩＤに基づいて利用者ＤＢ６からパスワードを抽出する。そして、利用者確認機能は、後述する予約情報特定機能において特定したパスワードと、抽出したパスワードが一致するか否かを判定する。つまり利用者確認機能は、利用者が既に利用者登録をすませていること、及び、他の者によるなりすましがおこなわれていないことを確認する機能である。また、メールアドレス抽出機能は、記入情報取得機能１０４が取得した記入情報に基づいて特定したペンＩＤにより、利用者ＤＢ６からメールアドレスを抽出する機能である。また、フォーマット抽出機能も同様に、ペンＩＤにより、利用者ＤＢ６からメールフォーマットを抽出する機能である。
【００７１】
予約情報特定機能１０７は、座標テーブル１０５に基づいて、記入情報取得機能１０４が取得した記入情報から各エリアに記入したストロークデータを抽出し、当該ストロークデータに基づいて利用者が指定した予約情報を特定する機能である。ここで、予約情報とは、利用者が指定したパスワード、操作内容、画質や音質、番組のチャンネル及び時間帯に関する情報である。
【００７２】
予約情報特定機能１０７は、さらにパスワード特定機能、操作特定機能、質特定機能、チャンネル特定機能及び時間帯特定機能から構成されている。パスワード特定機能は、利用者がパスワードエリアに記入したストロークデータに基づいて、ＯＣＲにより、利用者が記入したパスワードを特定する機能である。操作特定機能は、利用者が操作エリアに記入したストロークデータに基づいて、利用者がチェックマークを記入した操作内容を特定する機能である。質特定機能は、利用者が質設定エリアに記入したストロークデータに基づいて、利用者がチェックマークを記入した画質及び音質を特定する機能である。チャンネル特定機能は、利用者が番組エリアに記入したストロークデータに基づいて、利用者がチェックマークを記入したチャンネルを特定する機能である。時間帯特定機能は、利用者が番組エリアに記入したストロークデータに基づいて、利用者がチェックマークを記入した番組の時間帯を特定する機能である。
【００７３】
メール作成機能１０８は、予約情報特定機能１０７が特定したパスワード、操作内容、画質、音質、番組のチャンネル及び時間帯に基づき、利用者情報確認機能が抽出したメールフォーマットに従って、ビデオ７を遠隔操作するためのメールを作成する機能である。
【００７４】
メール送信機能１０９は、利用者情報確認機能が抽出したメールアドレスに、メール作成機能１０８が作成したメールを送信する機能である。
【００７５】
[遠隔操作処理]
次に、遠隔操作システム１００により実行される遠隔操作処理について説明する。図１３は、遠隔操作処理のフローチャートである。なお、利用者は既に利用者登録をすませているものとする。
【００７６】
利用者は、まず、電子ペン１０を使用して帳票３上の各エリアへ所定の記入を行う。帳票３への記入が終了すると、利用者は、送信ボックス３９にチェックマークを記入することにより、端末装置２５を介して記入情報をサーバ５へ送信する。
【００７７】
サーバ５は、端末装置２５から記入情報を取得し（ステップＳ１）、まず、当該記入情報に基づいてペンＩＤを特定する（ステップＳ２）。また、サーバ５は、記入情報と座標テーブル１０５に基づいて、利用者が記入したパスワードを特定する（ステップＳ３）。そして、サーバ５は、ステップＳ２において特定したペンＩＤに基づいて利用者ＤＢ６を検索し、利用者が登録をすませているか否かを確認する。また、利用者が登録をすませている場合には、利用者ＤＢ６に記憶されているパスワードを抽出し、ステップＳ３において特定したパスワードと一致するか否かを確認する（ステップＳ４）。サーバ５は、利用者が登録をすませているか及びパスワードが一致するかを確認した後、問題がある場合には（ステップＳ５；Ｎｏ）、その旨のメッセージを端末装置２５に送信し、遠隔操作処理を終了する。
【００７８】
一方、問題がない場合には（ステップＳ５；Ｙｅｓ）、記入情報と座標テーブル１０５に基づき、利用者が指定した操作を特定する（ステップＳ６）。また、サーバ５は、記入情報と座標テーブル１０５に基づき、利用者が指定した画質及び音質を特定する（ステップＳ７）。また、サーバ５は、記入情報と座標テーブル１０５に基づき、利用者が指定した番組のチャンネル及び時間帯を特定する（ステップＳ８、Ｓ９）。そして、サーバ５は、ステップＳ２において特定したペンＩＤに基づいて、利用者ＤＢ６から、メールアドレス及びメールフォーマットを抽出する（ステップＳ１０）。さらに、サーバ５は、特定した操作と、画質及び音質と、番組のチャンネル及び時間帯とに基づき、抽出したメールフォーマットに従って、ビデオ７を遠隔操作するために必要なメールを作成する（ステップＳ１１）。そして、サーバ５は、作成したメールを、ステップＳ１０で抽出したメールアドレスに送信することにより（ステップＳ１２）、遠隔操作処理を完了する。
【００７９】
ビデオ７は、サーバ５から受信したメールに従って、利用者が指定した内容の操作を行う。即ち、利用者が番組Ａの録画予約を指定した場合には、サーバ５は番組Ａの録画予約を行う。利用者が指定した操作を完了したビデオ７は、サーバ５に操作完了を伝える完了メールを送信する。そして、サーバ５は、端末装置２５に当該完了メールを転送する。これにより、利用者は、外出先であっても、端末装置２５が受信するメールを確認することでビデオ７が操作を完了したことを把握することができる。なお、完了メールは、ビデオ７が直接端末装置２５に送信することとしてもよい。
【００８０】
このように、利用者情報、機器固有の操作命令フォーマットに関する情報、指示命令をデザインした帳票３に関する情報を予め記憶しているサーバ５を設け、利用者が電子ペン１０と帳票３とで指示した情報を機器固有の操作命令に翻訳し、メールとして当該機器に送信することにより、容易に遠隔操作を行うことができる。つまり、端末装置２５は、記入情報をサーバ５へ送信するためのツールとしてのみ利用されるものであるため、利用者は複雑な端末装置２５を意識することなく、換言すると複雑な端末装置２５を操作することなく、家電製品を容易に遠隔操作することができる。
【００８１】
なお、本実施形態では、利用者を識別する情報としてペンＩＤを利用しているが、本発明はこれに限定されるものではなく、利用者が使用する携帯電話の識別情報である端末ＩＤを利用して当該利用者を識別することとしても構わない。この場合、利用者登録時に取得した端末ＩＤを利用者ＤＢ６に記憶して利用者確認時の際に利用することとなる。
【００８２】
また、本実施形態では、利用者が帳票３にチェックマーク（レ）を記入することとしているが、このチェックマークは任意の記号とすることが可能であり、他のチェックマーク（○や△）であっても構わない。
【００８３】
また、本実施形態では、利用者がサーバ５のサービスを利用するためには予め利用者登録を行うこととしているが、本発明はこれに限定されるものではない。例えば、帳票３上において、ビデオ７の種類を指定したり、ビデオ７のメールアドレスを指定したりすることができるように設定しておけば、利用者ＤＢ６に利用者情報が記憶されていなくても、サーバ５は、記入情報に基づいてビデオ７が認識可能なメールを作成することができる。よって、予め利用者登録をせずとも、本発明を適用することは可能である。
【００８４】
また、本実施形態では、利用者が保有しているビデオは１台として説明しているが、本発明はこれに限定されるものではなく、複数台の場合にも適用することができる。この場合、利用者は、帳票３上においてどのビデオ７に録画予約を行うかを指定することが可能であるものとする。
【産業上の利用可能性】
【００８５】
このように、電子ペンにより記入した情報を、自動的に家電製品固有の操作命令に翻訳することにより、利用者が容易に家電製品の遠隔操作を行うことができる遠隔操作システムを提供することができる。
【図面の簡単な説明】
【００８６】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】本発明における遠隔操作システムの概略構成を示す図である。
【図８】遠隔操作システムにおいて使用する帳票の例である。
【図９】帳票を構成する各エリアのエリアＩＤを示す図である。
【図１０】図７に示す遠隔操作システムに含まれるサーバの機能ブロック図である。
【図１１】利用者ＤＢのデータ構造を模式的に示す図である。
【図１２】座標テーブルのデータ構造を模式的に示す図である。
【図１３】本実施形態における遠隔操作処理のフローチャートである。
【符号の説明】
【００８７】
２…ネットワーク
１０…電子ペン
１１…プロセッサ
１２…メモリ
１３…データ通信ユニット
１４…バッテリー
２５…端末装置
２６…問い合わせサーバ
２７…サービスサーバ
１００…遠隔操作システム
【図１】
2006140554.tif 000003
【図２】
2006140554.tif 000004
【図３】
2006140554.tif 000005
【図４】
2006140554.tif 000006
【図５】
2006140554.tif 000007
【図６】
2006140554.tif 000008
【図７】
2006140554.tif 000009
【図８】
2006140554.tif 000010
【図９】
2006140554.tif 000011
【図１０】
2006140554.tif 000012
【図１１】
2006140554.tif 000013
【図１２】
2006140554.tif 000014
【図１３】
2006140554.tif 000015